(57)【要約】【課題】生石灰を主成分とする加熱加工剤を安全に容器に収納して防湿膜により保管、搬送ができ、使用時には安全ベルトをはずして、底部を回転させるだけで反応を生起させ、熱湯発生部の熱湯により短時間で酒その他の液体を加熱でき、環境にやさしい液体加熱容器を提供する。【解決手段】水を収納した容器Ａ１と、発熱加工剤２を収納し、下方開口部を閉塞するアルミ箔その他の防湿膜Ｘ６で密閉した容器Ｂ４と、酒その他被加熱液体１４を収納し密閉したコップ１５を有する筒体１３とを設け、前記容器Ａには、突上部３と前記容器Ｂの中央から垂設した突起７とが対峙するよう容器Ｂを容器Ａの上半分に位置して止定して熱湯発生部とし、筒体の内部に防湿膜Ｙの周縁を切断可能とした環状切刃部１６と中央環状押え部１７とを設け、容器Ａと筒体との間に安全ベルト１０を取り付けて成る酒その他液体加熱容器。【選択図】図３
2005008207.tif 000002
【特許請求の範囲】
【請求項１】
水を収納した容器Ａと、
生石灰を主成分とする発熱加工剤を収納し、下方開口部を閉塞するアルミ箔その他の防湿膜Ｘで密閉した容器Ｂと、
酒その他被加熱液体を収納し密閉したコップを有する筒体とを設け、
前記容器Ａの中央に立設した突上部と前記容器Ｂの中央から垂設した突起とが対峙するよう容器Ｂを容器Ａの上半分の位置で止定するよう内挿し、容器Ａの上端部をアルミ箔その他防湿膜Ｙで密閉して熱湯発生部とし、
前記筒体は内周に設けた螺溝を前記容器Ａの外周に設けた螺溝と係合して取り付けられ、内部に前記防湿膜Ｙの周縁を切断可能とした環状切刃部と中央環状押え部とを設け、
容器Ａの外周に設けた段部と筒体の下端周縁との間に取り外し自在な安全ベルトを取り付けて成る酒その他液体加熱容器。
【請求項２】
容器Ｂが容器Ａの上半分の位置で止定するため、容器Ｂの下端周縁に複数の小突起を設け、容器Ａの内周で前記小突起と係合する環状段部を設けた請求項１記載の酒その他液体加熱容器。
【請求項３】
筒体の上端部でコップ上端を覆うアルミ箔その他の防湿膜Ｚを設けると共にリングを取り付け、固定環状体で固定した請求項１記載の酒その他液体加熱容器。
【請求項４】
容器Ａ、容器Ｂ及び筒体をポリプロピレン等の合成樹脂で形成して成る請求項１記載の酒その他液体加熱容器。
【発明の詳細な説明】
【０００１】
【発明の属する技術分野】
本発明は酒、コーヒその他の清涼飲料等の液体加熱容器に関し、容器内に収納された水が、生石灰を主成分とする発熱加工剤と混合するときに発生する熱湯や蒸気によりコップ内の被加熱液体を短時間で加熱することのできる液体加熱容器に関する。
【０００２】
【従来の技術】
従来から酒を収納した缶体内で、生石灰と水とを隔離状態に収納し、飲みたいときに両者を混合して短時間にお燗ができるようにした市販品がある。
また簡易加熱容器として、水または水を主成分とする溶液の包装体を上にし、発熱剤を下に配置し、棒状体を底部から挿入して水を徐々に排出し、発熱反応を徐々に進行させるようにした発明が開示されている（特開昭和６３−１０２７２６号公報）。
【０００３】
さらに食品加熱器として、安全ベルトをはずし薬剤容器を回動させたとき、発熱剤が水と反応して食品を加熱するようにした例がある（実公平５−２３１６２号公報）。
【０００４】
【発明が解決しようとする課題】
上記の従来例の内、市販品では缶体を逆さまに立てて上端部を押圧して生石灰と水との反応を起こし、酒等が温かくなれば缶体を元に戻し蓋を開けるようにしている。従って生石灰と水とを反応させるため、一旦缶体を逆さまにして操作しなければならず、隔離壁を破った後も加熱部が上方で酒は下方にあって加熱効率が悪く、また加熱による循環作用が適切でない難点がある。
【０００５】
また簡易加熱容器では、容器の底部から棒状体を挿入して水を徐々に排出させる手段を用いており、生石灰と水との反応を徐々にする点では安全であるが、棒状体を必要とし、棒状体の差込如何では反応状態が均一にならない難点がある。
【０００６】
さらに食品加熱器は反応包装物を破り、反応を開始する構造において本発明とは相違する。
【０００７】
本発明の目的は、上記のような難点を解消し、生石灰を主成分とする加熱加工剤を安全に容器に収納してアルミ箔その他の防湿膜により保護しつつ保管、搬送ができ、使用時には安全ベルトをはずして、底部を回転させるだけで防湿膜を破り、上方にある生石灰が水中に落下して反応を生起させ、熱湯発生部の上端にある防湿膜を開口して熱湯をコップ周辺まで均等に循環させ、短時間で加熱作用が実現でき、環境にやさしい液体加熱容器を提供しようとするものである。
【０００８】
【課題を解決するための手段】
上記目的を達成するため、第１発明では水を収納した容器Ａと、生石灰を主成分とする発熱加工剤を収納し、下方開口部を閉塞するアルミ箔その他の防湿膜Ｘで密閉した容器Ｂと、酒その他被加熱液体を収納し密閉したコップを有する筒体とを設け、前記容器Ａの中央に立設した突上部と前記容器Ｂの中央から垂設した突起とが対峙するよう容器Ｂを容器Ａの上半分の位置で止定するよう内挿し、容器Ａの上端部をアルミ箔その他防湿膜Ｙで密閉して熱湯発生部とし、前記筒体は内周に設けた螺溝を前記容器Ａの外周に設けた螺溝と係合して取り付けられ、内部に前記防湿膜Ｙの周縁を切断可能とした環状切刃部と中央環状押え部とを設け、容器Ａの外周に設けた段部と筒体の下端周縁との間に取り外し自在な安全ベルトを取り付けて成る酒その他液体加熱容器とした。
【０００９】
第２発明では容器Ａの上半分に容器Ｂを位置させるため、容器Ｂの下端周縁に複数の小突起を設け、容器Ａの内周で前記小突起と係合する環状段部を設けた酒その他液体加熱容器とした。
【００１０】
第３発明では筒体の上端部でコップ上端を覆うアルミ箔その他の防湿膜Ｚを設けると共にリングを取り付け、環状体で固定した酒その他液体加熱容器とした。
【００１１】
第４発明では容器Ａ、容器Ｂ及び筒体をポリプロピレン等の合成樹脂で形成して成る酒その他液体加熱容器とした。
【００１２】
【作用】
第１発明では水を収納した容器Ａの上方部に位置するよう生石灰を主成分とする加熱加工剤を収納した容器Ｂを容器Ａの上半分の位置に内挿し、防湿膜Ｘにより両者を隔離し、さらに防湿膜Ｙにより湿気を排除するように熱湯発生部を構成したので、常時は加熱加工剤と水とが混合することなく、安全であって携帯し易く保管、貯蔵も安心して行われる。
【００１３】
容器Ａの突上部と容器Ｂの突起とは、対峙しているが接触することなく両者の間に設けた防湿膜Ｘを不用意に破ることがないようになっている。
容器Ａと容器Ｂとは螺溝により係合されており、安全ベルトをはずして容器Ａを回転させると、前記突上部と突起とが当接して防湿膜Ｘを破り、加熱加工剤を水中へ落下させて反応させ熱湯を生成する。
【００１４】
防湿膜Ｘは容器Ａの回転により破られ、加熱加工剤を徐々に水中に落下できるようになっているので急激な発熱がない。
【００１５】
発生した熱湯は、防湿膜Ｙが筒体の環状切刃部と中央環状押え部とにより切断されると、容器Ａと容器Ｂとの側壁及び切断部からコップの周縁まで上昇し循環できるようになり均一な加熱状態が得られる。
【００１６】
容器Ａと容器Ｂとが一体となって上昇すると、容器Ｂの突起周縁が中央環状押え部により押さえられているので、基部が切断されて開口し熱湯の循環を助け短時間の加熱可能となった。
【００１７】
第２発明では、容器Ａの上半分に容器Ｂを位置させるため、容器Ｂの下端周縁に複数の小突起を設け、容器Ａの内周で前記小突起と係合する環状段部を設けたことにより、より安全に保持されるようになった。
【００１８】
第３発明では、筒体の上端部でコップ上端を覆うアルミ箔その他の防湿膜Ｚを設けると共にリングを取り付け、環状体で固定することにより熱湯がコップの上端から噴出したりすることなく、酒等と飲むばあいも安全に口をつけられるようになっている。
【００１９】
第４発明では、容器Ａ、容器Ｂ及び筒体をポリプロピレン等の合成樹脂で形成することにより、鉄製の缶体とは異なり整型が容易で使用後に再使用を可能として環境保全に役立つようになっている。
【００２０】
【発明の実施の形態】
本発明は酒やコーヒその他の清涼飲料等の液体をおよそ６から８分程度の短時間で加熱することのできる液体加熱容器であり、携帯に便利で保管および搬送も容易としたものである。
【００２１】
容器Ａに取り外し自在に設けた安全ベルトをはずして、容器Ａを回転することにより熱湯発生部では防湿膜が破られ、生石灰が水中に落ち込み反応が発生し、熱湯発生部の上端の防湿膜が切断されてコップ周縁まで熱湯が上昇し、被加熱液体の加熱処理が均等に行われるようにした。
【００２２】
【実施例】
以下実施例として示した図面を説明する。図１において、１は容器Ａで、水２を収容し、中央に突上部３を立設している。突上部３は十字状に交差した壁面としている。
【００２３】
４は容器Ｂで、生石灰を主成分とする加熱加工剤５を収納し、下方開口部を閉塞するアルミ箔その他の防湿膜Ｘ６で密閉している。中央には突起７を垂設している。この突起７は防湿膜Ｘとの間に若干の隙間があるように設定されている。
【００２４】
容器Ｂ４は容器Ａ１の上端内部に遊嵌挿され、側壁部では蒸気や熱湯が循環できる隙間を形成しており、容器Ａの突上部３と容器Ｂの突起７とは、防湿膜Ｘを介して若干の間隔をあけて対峙するよう容器Ｂの下端に設けた複数の小さい突起４ａが容器Ａの内周面に設けた環状段部１ａと係合して容器Ｂを保持するようになっている。
【００２５】
７ａは突起７の基部で、容器Ａの突上部３により突き上げられると切断可能になっている。
【００２６】
８はアルミ箔その他の防湿膜Ｙで、容器Ａ１の上端部を閉塞して熱湯発生部９を構成している。
【００２７】
１０は安全ベルトで、開閉可能に一部を切断され、容器Ａの外周に設けた段部１１上に嵌挿される。１２は容器Ａの上端に設けた螺溝である。
【００２８】
図２において、１３は筒体で、酒その他被加熱液体１４を収納したコップ１５を内蔵し、このコップの下端部に環状切刃部１６と固定部１７を設けた。
【００２９】
１８は筒体１３の内周に設けた螺溝で、前記容器Ａの外周の螺溝１２と係合して熱湯発生部９の上にコップ１５を内蔵した筒体１３がセットされるようになっている。なお筒体１３の下端と容器Ａの段部１１との間には安全ベルト１０が介在するので、生石灰を主成分とする加熱加工剤５は安全に保護されている。
【００３０】
１９はコップの上端部を保護するリングであり、２０はアルミ箔その他の防湿膜Ｚであり、２１は固定枠を示す。２２は開孔部で、筒体の上方で蒸気を抜くことのできる孔である。
【００３１】
図３は本発明全体を示す断面図である。図４、図５および図６は熱湯発生部９で生石灰を主成分とする加熱加工剤５と水２との混合状態を示す拡大断面図である。
【００３２】
図４において、安全ベルト１０をはずすと、底部の容器Ａは回転可能となり、筒体１３の螺溝１２と容器Ａの螺溝１６に沿って上昇可能となる。このとき容器Ｂの下端に設けた複数の小さい突起４ａが容器Ａの内周面に設けた段部１ａとの係合から外れて容器Ａは上昇する。
【００３３】
図５は中央の突起７と突上部３とが接近してアルミ箔その他の防湿膜Ｘを破り、生石灰を主成分とする加熱加工剤５が下方の水中へ落下し始め反応を開始した状態を示す。同時に上端のアルミ箔その他の防湿膜Ｙの周縁を環状切刃部１６により切断し、中央環状押え部１７により容器Ｂ部を固定させ、さらに容器Ａが上昇させられると突起７の基部７ａが切断される。
【００３４】
図６は容器Ａと容器Ａとの間隙部および切断された突起７の基部７ａにより形成された開口部から蒸気および熱湯が上昇してコップ１５の底部と側壁に亘って加熱状態が生じる。
【００３５】
コップ１５の上端ではリング１９により保護されており、反応液がコップの周縁から外部に漏れるのを防止している。２０はコップの上端を閉塞したアルミ箔その他の防湿膜Ｚである。２１は固定枠を示している。
【００３６】
以下使用時の状態を説明する。
【００３７】
安全ベルト１０をはずして容器Ａを回転させると、容器Ａは螺溝１２、１８に沿って上昇する。容器Ａの内周にある環状段部と小突起との係合がはずれ、突上部３と突起７ａとが接近して防湿膜Ｘを破り、生石灰を主成分とする加熱加工剤５が容器Ａ中に落下して発熱し熱湯を生成し始める。突上部３が回転により防湿膜Ｘを破るので急激な生石灰の落下はない。同時に熱湯発生部９の上端の防湿膜Ｙは周縁を環状切刃部１６により切断され熱湯が上昇できるようになり、中央環状押え部１７により容器Ｂの中央を押さえることにより突起７の基部７ａが切断され、容器Ｂが開口して熱湯の循環を容易かつ均等にするようにした。
【００３８】
なお加熱が終了すると、筒体の上端の防湿膜Ｚを開けて内部の酒その他の液体を飲むことができるようになる。この際リングおよび固定枠により安全に液体だけを出すことができるようになっている。
【００３９】
【発明の効果】
本発明では石灰を主成分とする加熱加工剤を安全に容器に収納してアルミ箔その他の防湿膜により保護しつつ保管、搬送ができ携帯にも便利であり、使用時には安全ベルトをはずして底部を回転させるだけで操作が簡易であり、防湿膜を破り上方にある生石灰が水中に落下して反応を生起させ、熱湯発生部の上端にある防湿膜を開口して熱湯をコップ周辺まで均等に循環させることができ、短時間で加熱作用が実現できる液体加熱容器を提供できた。
また容器全体をポリプロピレン樹脂等の合成樹脂により作成することにより回収が容易で環境保全にも寄与することのできる液体加熱容器となった。
【図面の簡単な説明】
【図１】熱湯発生部の分解斜視図。
【図２】被加熱液体を内蔵した筒体の分解斜視図。
【図３】液体加熱容器の全体を示す断面図。
【図４】熱湯発生部の安全ベルトをはずした状態の断面図。
【図５】容器Ａを回転し始めた状態の断面図。
【図６】熱湯発生状態を示す断面図。
【符号の説明】
１：容器Ａ
１ａ：環状段部
２：水
３：突上部
４：容器Ｂ
４ａ：小さな突起
５：加熱加工剤
６：防湿膜Ｘ
７：突起
７ａ：突起の基部
８：防湿膜Ｙ
９：熱湯発生部
１０：安全ベルト
１１：段部
１２：螺溝
１３：筒体
１４：酒その他被加熱液体
１５：コップ
１６：環状切刃部
１７：固定部
１８：螺溝
１９：リング
２０：防湿膜Ｚ
２１：固定枠
【図１】
2005008207.tif 000003
【図２】
2005008207.tif 000004
【図３】
2005008207.tif 000005
【図４】
2005008207.tif 000006
【図５】
2005008207.tif 000007
【図６】
2005008207.tif 000008